(57)【要約】【課題】構成が簡単で、かつ安価なマルチビーム型の光走査装置を提供する。【解決手段】波長の異なるコヒーレント光を出射する複数の光源を近接して配置し各光源の光軸が、略並行に配置され各光軸を中心に広がり角をもって光を照射する複合光源１０と、該複合光源を構成する各光源の光軸の略中心軸上に配置され前記複合光源からの出射された光ビームを略平行化するコリメータレンズ１２、該コリメータレンズから出射した光ビームを集光するシリンダレンズ１４、及び該シリンダレンズにより集光された光ビームを露光体の露光面における主走査方向に走査するポリゴンミラー１６を含む光学系とを有する。【選択図】      図１
2004212569.tif 000002
【特許請求の範囲】
【請求項１】
波長の異なるコヒーレント光を出射する複数の光源を近接して配置し各光源の光軸が、略並行に配置され各光軸を中心に広がり角をもって光を照射する複合光源と、
該複合光源を構成する各光源の光軸の略中心軸上に配置され前記複合光源からの出射された光ビームを略平行化するコリメータレンズと、該コリメータレンズから出射した光ビームを集光するシリンダレンズと、該シリンダレンズにより集光された光ビームを露光体の露光面における主走査方向に走査するポリゴンミラーとを含む光学系と、
を有することを特徴とする光走査装置。
【請求項２】
請求項１に記載の光学系において、
前記ポリゴンミラーにより各波長のコヒーレント光毎に異なる被露光体の露光面における主走査方向に光ビームを照射するために前記ポリゴンミラーで反射された後に異なる波長ごとに光ビームを分離する光学素子と、
前記光学素子と前記ポリゴンミラーとの間における光路上に配置されるＦθレンズと、
を有することを特徴とする光走査装置。
【請求項３】
請求項１に記載の光学系において、
前記ポリゴンミラーにより各波長のコヒーレント光毎に異なる被露光体の露光面における主走査方向に光ビームを照射するために前記ポリゴンミラーで反射された後に異なる波長毎に光を分離する光学素子と、
前記ポリゴンミラーと前記光学素子間に配置されるＦθレンズと、
前記光学素子で異なる波長毎に光ビームが分離された後の光路上に配置され前記波長毎の光束の各光学素子での屈折率差を補正する屈折率補正手段と、
を有することを特徴とする
光走査装置。
【請求項４】
請求項３に記載の光学素子において異なる波長毎に光ビームが分離された後、少なくとも一つの光ビームは、前記屈折率補正手段を介さずに直接被露光体の露光面に照射されることを特徴とする光走査装置。
【請求項５】
請求項２乃至４に記載の光学素子は、
前記複合光源から出射される光ビームを分割するハーフミラーと、
該ハーフミラーにより分割された各光ビームのうち特定の波長の光ビームのみを透過するバンドパスフィルタとを含んで構成されることを特徴とする光走査装置。
【請求項６】
請求項１に記載の光学系は、さらに、
前記複合光源から出射される光ビームを分割するハーフミラーと、
該ハーフミラーにより分割された各光ビームのうち特定の波長の光ビームのみを透過するバンドパスフィルタとを含んで構成され、前記ポリゴンミラーで反射された後に異なる波長毎に光を分離する光学素子と、
前記ハーフミラーと前記バンドパスフィルタとの間における光路上に配置されるＦθレンズと、
を有することを特徴とする光走査装置。
【請求項７】
請求項１に記載の光学系は、
前記ポリゴンミラーで反射された光ビームを分割するハーフミラーを有し、
該ハーフミラーで分割された各光ビームを光波長感度の異なる被露光体に照射して波長分離を行うことを特徴とする光走査装置。
【請求項８】
請求項１に記載の光学系は、
前記ポリゴンミラーで反射された光ビームのうち特定の波長の光ビームのみを反射し前記特定の波長以外の波長の光ビームのみ透過するダイクロイックミラーを有し、該ダイクロイックミラーにより前記複合光源から出射される光ビームを波長毎に分離することを特徴とする光走査装置。
【発明の詳細な説明】
【０００１】
【発明の属する技術分野】
本発明は、光走査装置に係り、特に被露光体を複数有するカラープリンタ等の電子写真装置の露光装置に使用するに好適な光走査装置に関する。
【０００２】
【従来の技術】
電子写真方式の露光装置は、大きく分類するとレーザダイオードを用いるもいのと発光素子（ＬＥＤ）を用いるものとがある。
発光素子（ＬＥＤ）を用いた露光装置では、被露光体に書き込む画像の画素１ドットに１つのＬＥＤを対応させて露光するようにしており、通常は、多数のＬＥＤを並べたＬＥＤヘッドと呼ばれる光源を使用する。
【０００３】
この光源は、ＬＥＤが複数個形成されたＬＥＤチップを基板上に並べて多数のＬＥＤ列を形成するように構成されている。ＬＥＤと被露光体の被露光面との間には、光学系を配設して結像面上に光を集光させる（例えば、特許文献１参照）。
【０００４】
また、レーザダイオードを用いる露光装置では、一つのレーザビームを、光走査手段を用いて被露光体の露光面上の主走査方向に走査する。
この露光装置では、被露光面上で同一の走査速度及びビーム形状を維持するためにＦθレンズを用いる。
【０００５】
レーザダイオードから出射したレーザビームは、拡散光であるためにコリメータレンズにより平行光とする。この平行光は、スリット等でビーム形状が制限され、シリンダーレンズでポリゴンミラーの反射面上で副走査方向に集光させる。
次に光走査手段であるポリゴンミラーで主走査方向に走査された光がＦθレンズ（またはレンズ群）により被露光体の露光面上に集光され、等速走査される（例えば、特許文献２参照。）。
【０００６】
【特許文献１】
特許第３３４０６２６号公報
【特許文献２】
特許第３３３４４４７号公報
【０００７】
【発明が解決しようとする課題】
上述した露光装置のうち発光素子を用いるものでは、露光装置を小型にできる利点がある。しかし、次の欠点を有する。
すなわち、
（１）多数のＬＥＤチップを基板上に精度良く並べることが、必要であること、
（２）回路が複雑であること、
（３）光学系の特性上、ＬＥＤチップと被露光体の露光面に至る光学系の距離精度が必要であること、
（４）ＬＥＤチップ間の光量のばらつきが大きく、補正が必要であること、
等の欠点が有る。
【０００８】
また、レーザダイオードを光源としてポリゴンミラー等で走査する光学系は、以下の利点を有する。
（１）一つの光源を走査するために露光面での光量斑が少ない、
（２）回路が単純である、
（３）光沢的に焦点深度が深いために露光面との距離精度が比較的低い、
等の利点がある。
【０００９】
近年、電子写真プリンタは、カラー化が進行している。特にシアン、マゼンタ、イエロー、ブラックの４色の画像を１つの画像にまとめるために従来のブラック／ホワイトに比較して４回画像を形成する必要が有る。
電子写真方式のカラープリンタでは、シングルパス方式とマルチパス方式の２種類が有る。シングルパス方式は１ドラムに１露光装置を組み込み、４色の現像器でそれぞれ現像して中間転写体等に画像を重ねて一括で紙に転写する方式である。
【００１０】
マルチパス方式は、４個の現像器と４個の露光装置、４色の現像器を装備し機構的には、従来のブラック／ホワイト方式のプリンタを４個重ねた構造になる。シングルパス方式は、４回画像を重ねるために印字速度が１／４になり、低速になる欠点がある。また、現像器等を移動する機構が複雑であるが、ドラム、露光装置が一つで構成できる利点がある。
マルチパス方式は、印字速度が速いが、露光装置や感光体が４個必要で複雑になるという欠点が有った。
【００１１】
本発明は、上記マルチパス方式の電子写真カラープリンタの露光装置に関するものである。
従来のマルチパス方式の露光装置は、露光体の数だけレーザダイオードを有し、ポリゴンミラーやＦθレンズも同数だけ必要である。この場合、装置が大型化し、コストアップしてしまう欠点が有った。
本発明はこのような状況に鑑みてなされたものであり、構造が簡単で、かつ安価なマルチビーム型の光走査装置を提供することを目的とする。
【００１２】
【課題を解決するための手段】
上記目的を達成するために、請求項１に記載の発明は、波長の異なるコヒーレント光を出射する複数の光源を近接して配置し各光源の光軸が、略並行に配置され各光軸を中心に広がり角をもって光を照射する複合光源と、該複合光源を構成する各光源の光軸の略中心軸上に配置され前記複合光源からの出射された光ビームを略平行化するコリメータレンズと、該コリメータレンズから出射した光ビームを集光するシリンダレンズと、該シリンダレンズにより集光された光ビームを露光体の露光面における主走査方向に走査するポリゴンミラーとを含む光学系とを有することを特徴とする。
【００１３】
また、請求項２に記載の発明は、請求項１に記載の光走査装置において、前記光学系は、さらに、前記ポリゴンミラーにより各波長のコヒーレント光毎に異なる被露光体の露光面における主走査方向に光ビームを照射するために前記ポリゴンミラーで反射された後に異なる波長ごとに光ビームを分離する光学素子と、前記光学素子と前記ポリゴンミラーとの間における光路上に配置されるＦθレンズとを有することを特徴とする。
【００１４】
また、請求項３に記載の発明は、請求項１に記載の光走査装置において、さらに、前記光学系は、前記ポリゴンミラーにより各波長のコヒーレント光毎に異なる被露光体の露光面における主走査方向に光ビームを照射するために前記ポリゴンミラーで反射された後に異なる波長毎に光を分離する光学素子と、前記ポリゴンミラーと前記光学素子間に配置されるＦθレンズと、前記波長毎の光束の各光学素子での屈折率差を補正する屈折率補正手段とを有することを特徴とする。
【００１５】
また、請求項４に記載の発明は、請求項３に記載の光走査装置において、前記光学素子で異なる波長毎に光ビームが分離された後、少なくとも一つの光ビームは、前記屈折率補正手段を介さずに直接被露光体の露光面に照射されることを特徴とする。
【００１６】
また、請求項５に記載の発明は、請求項２乃至４に記載の光走査装置において、前記光学素子は、前記複合光源から出射される光ビームを分割するハーフミラーと、該ハーフミラーにより分割された各光ビームのうち特定の波長の光ビームのみを透過するバンドパスフィルタとを含んで構成されることを特徴とする。
【００１７】
また、請求項６に記載の発明は、請求項１に記載の光走査装置において、前記光学系は、さらに、前記複合光源から出射される光ビームを分割するハーフミラーと、該ハーフミラーにより分割された各光ビームのうち特定の波長の光ビームのみを透過するバンドパスフィルタとを含んで構成され、前記ポリゴンミラーで反射された後に異なる波長毎に光を分離する光学素子と、前記ハーフミラーと前記バンドパスフィルタとの間における光路上に配置されるＦθレンズとを有することを特徴とする。
【００１８】
また、請求項７に記載の発明は、請求項１に記載の光走査装置において、前記光学系は、前記ポリゴンミラーで反射された光ビームを分割するハーフミラーを有し、該ハーフミラーで分割された各光ビームを光波長感度の異なる被露光体に照射して波長分離を行うことを特徴とする。
【００１９】
また、請求項８に記載の発明は、請求項１に記載の光走査装置において、前記光学系は、前記ポリゴンミラーで反射された光ビームのうち特定の波長の光ビームのみを反射し前記特定の波長以外の波長の光ビームのみ透過するダイクロイックミラーを有し、該ダイクロイックミラーにより前記複合光源から出射される光ビームを波長毎に分離することを特徴とする。
【００２０】
【発明の実施の形態】
以下、本発明の実施形態を、図面を参照して詳細に説明する。本発明の各実施形態に係る光走査装置は、波長の異なるコヒーレント光を出射する複数の光源を近接して配置し各光源の光軸が、略並行に配置され各光軸を中心に広がり角をもって光を照射する複合光源と、該複合光源を構成する各光源の光軸の略中心軸上に配置され前記複合光源からの出射された光ビームを略平行化するコリメータレンズと、該コリメータレンズから出射した光ビームを集光するシリンダレンズと、該シリンダレンズにより集光された光ビームを露光体の露光面における主走査方向に走査するポリゴンミラーとを含む光学系とを有することを特徴としている。
【００２１】
本発明の第１実施形態に係る光走査装置の構成を図１に示す。本実施形態に係る光走査装置では、上記光学系は、さらに、ポリゴンミラーにより各波長のコヒーレント光毎に異なる被露光体の露光面における主走査方向に光ビームを照射するために前記ポリゴンミラーで反射された後に異なる波長ごとに光ビームを分離する光学素子と、該光学素子と前記ポリゴンミラーとの間における光路上に配置されるＦθレンズとを有することを特徴としている。
【００２２】
図１において、第１実施形態に係る光走査装置は、複数（本実施形態では２つ）の異なる波長のコヒーレント光を出射する複合光源１０と、コリメータレンズ１２と、シリンダレンズ１４と、ポリゴンミラー１６と、ハーフミラー１８と、第１のＦθレンズ２０と、第１のバンドパスフィルタ２２と、第２のＦθレンズ２４と、ミラー２６と、第２のバンドパスフィルタ２８とを有している。
【００２３】
複合光源１０は、本実施形態では２つの異なる波長のレーザ光（コヒーレント光）を出射するマルチビームレーザダイオードであり、２つの異なる波長（例えば、波長が６５０ｎｍと７８０ｎｍ）の光ビームを出射する２つのレーザダイオードが近接して配置されるように構成されている。この２つのレーザダイオードの光源間距離、すなわち、光軸間距離は例えば、１ｍｍ以内である。
【００２４】
コリメータレンズ１２は、複合光源１０から出射した光ビームを平行光にする。
また、シリンダレンズ１４は、ポリゴンミラー１６の反射面上に光ビームを集光させる機能を有する。このシリンダレンズ１４は、透過する光ビームに対して被露光体３０、３２の副走査方向のみパワー（集束機能）を有し、主走査方向にはパワーを有していない。
ポリゴンミラー１６は、図示してない駆動手段により一定の角速度で回転駆動され、その回転に伴い、入射された光ビームを被露光体３０、３２の被露光面の主走査方向に走査する機能を有している。
【００２５】
第１のＦθレンズ２０は、短波長（６５０ｎｍ）の光ビームを被露光体３０の被露光面に集光し、等速走査するように照射する機能を有する。
また、第２のＦθレンズ２４は、長波長（７８０ｎｍ）の光ビームを被露光体３２の被露光面に集光し、等速走査するように照射する機能を有する。
また、第１のバンドパスフィルタ２２は、短波長（６５０ｎｍ）の光ビームのみを透過させる機能を有し、第２のバンドパスフィルタ２８は、長波長（７８０ｎｍ）の光ビームのみを透過させる機能を有している。
【００２６】
なお、ハーフミラー１８と第１のバンドパスフィルタ２２、ハーフミラー１８と第２のバンドパスフィルタ２８は、それぞれ、異なる波長毎に光ビームを分離する本発明の光学素子に相当する。
また、露光体３０、３２は、例えば、感光体ドラムであり、図示していない駆動手段により副走査方向に回転駆動されるようになっている。
上記構成において、複合光源１０より２つの異なる波長の光ビームが、それぞれ、図示していない変調手段により、異なる画像等の情報に基づいて強度変調されて出射する。これらの２つの光ビームは、光軸を中心に広がり角をもって出射する。
【００２７】
複合光源１０より出射した光ビームは、コリメータレンズ１２により平行光にされ、この平行光となった光ビームは、シリンダレンズ１４により絞り込まれ、ポリゴンミラー１６の反射面上に集光される。
ポリゴンミラー１６により反射された光ビームは、ハーフミラー１８により二分され、二分された一方の光ビームは、第１のＦθレンズ２０、第１のバンドパスフィルタ２２を介して被露光体３０の被露光面に照射され、ポリゴンミラー１６の回転に伴い、被露光体３０の被露光面上で主走査方向に走査される。
【００２８】
ここで、第１のバンドパスフィルタ２２より短波長（６５０ｎｍ）の光ビームのみが透過するので、短波長（６５０ｎｍ）の光ビームが第１のＦθレンズの作用により被露光体３０の被露光面に集光し、この被露光面の主走査方向に等速走査されることとなる。
また、ハーフミラー１８で二分された他方の光ビームは、第２のＦθレンズ２４、ミラー２６、第２のバンドパスフィルタ２８を介して被露光体３２の被露光面に照射され、ポリゴンミラー１６の回転に伴い、被露光体３２の被露光面上で主走査方向に走査される。
【００２９】
ここで、第２のバンドパスフィルタ２２より長波長（７８０ｎｍ）の光ビームのみが透過するので、長波長（７８０ｎｍ）の光ビームが第２のＦθレンズ２４の作用により被露光体３０の被露光面に集光し、この被露光面の主走査方向に等速走査されることとなる。
このようにして、被露光体３０の被露光面には短波長の光ビームにより、また、被露光体３２の被露光面には長波長の光ビームにより、それぞれ異なる画像等の情報が書き込まれることとなる。
【００３０】
本発明の第１実施形態に係る光走査装置によれば、波長の異なる複数の光ビームを出射する複合光源を光源とし、該光源から出射された各光ビームを対応する被露光体の主走査方向に走査する光走査装置における光学系を波長の異なる光ビームで共用化するようにしたので、光走査装置の構成を簡略化することができ、安価な光走査装置を実現することができる。
【００３１】
次に、本発明の第２実施形態に係る光走査装置の構成を図２に示す。第２実施形態に係る光走査装置が第１実施形態に係る光走査装置と構成上、異なるのは、光走査装置が有する光学系において、ポリゴンミラーと該ポリゴンミラーで反射された後に異なる波長毎に光を分離する光学素子との間に複合光源１０より出射した２つの光ビームのうちの一方の光ビームを露光体の露光面で等速走査させるＦθレンズ４０を設け、かつ前記光学素子で異なる波長毎に光ビームが分離された後の光路上に該分離された光ビームの屈折率を補正する屈折率補正手段としての波長補正レンズ４２とを設けた点である。
【００３２】
本実施形態では、Ｆθレンズ４０は、複合光源１０より出射した２つの光ビームのうち短波長（６５０ｎｍ）の光ビームに対して被露光体３０の露光面上で等速走査する機能を有する。
また、波長補正レンズ４２は、長波長（７８０ｎｍ）の光ビームに対する屈折率を透過した光ビームが被露光体３２の被露光面で主走査方向に等速走査されるように補正する機能を有している。すなわち、透過光学系において、多波長のレーザビームを略、同一の光源位置から同一光学系で結像させた場合に、短波長の光の屈折率が長波長のそれよりも大きくなる。そのために同一光学系を用いた場合に短波長の光の焦点距離が短くなる。
【００３３】
Ｆθレンズを透過させた場合に被露光体の露光面における主走査方向の倍率が各被露光体毎に変化すると、画像上の位置ずれが生ずる。この問題を解決するために波長の異なる複数の光ビームに対して各光ビームの波長に適合するようにそれぞれ、光学特性の異なる光学素子（Ｆθレンズ）を用いる必要が有る。
【００３４】
しかし、Ｆθレンズを波長の異なる各光ビーム毎に設けると装置のコストが高価となるため、本実施形態では、Ｆθレンズ４０は、短波長の光ビームの光学特性に適合するようにしておき、このＦθレンズ４０を透過した後の光ビームについては長波長の光ビームに適合するように安価な波長補正レンズ４２により屈折率を補正するようにしている。
本実施形態では、短波長の光ビームについて適合するように光学系を構成しているので、長波長の光ビームについては、焦点距離が長くなるように波長補正レンズ４２で補正している。
【００３５】
なお、本実施形態では、Ｆθレンズ４０を短波長の光ビームの光学特性に適合するようにしているが、これとは逆に、Ｆθレンズ４０を長波長の光ビームの光学特性に適合するようにしておき、このＦθレンズ４０を透過した後の光ビームに対して波長補正レンズにより短波長の光ビームに対して屈折率を焦点距離が短くなるように補正するようにしてもよい。
【００３６】
本発明の第２実施形態に係る光走査装置によれば、波長補正レンズを用いることにより高価なＦθレンズを波長の異なる光ビーム毎に設けないで済むので、より安価な光走査装置を実現できる。
【００３７】
次に、本発明の第３実施形態に係る光走査装置の構成を図３に示す。第３実施形態に係る光走査装置が第２実施形態に係る光走査装置と構成上、異なるのは図２において、ハーフミラー１８の代わりにダイクロイックミラー５０を用いることによりバンドパスフィルタ２２、２８を省略した点にあり、他の構成は同一であるので重複する説明は省略する。
【００３８】
ダイクロイックミラー５０は、入射された光ビームのうち特定の波長の光ビームのみを反射し、上記特定の波長以外の波長の光ビームのみを透過する機能を有する。本実施形態では、ダイクロイックミラー５０は、複合光源１０から出射した短波長（６５０ｎｍ）と長波長（７８０ｎｍ）の光ビームのうち短波長（６５０ｎｍ）の光ビームのみを反射し、他の波長、すなわち長波長（７８０ｎｍ）の光ビームを透過させる機能を有する。
【００３９】
上記構成において、複合光源１０より出射した光ビームは、コリメータレンズ１２により平行光にされ、この平行光となった光ビームは、シリンダレンズ１４により絞り込まれ、ポリゴンミラー１６の反射面上に集光される。
ポリゴンミラー１６により反射された光ビームは、Ｆθレンズ４０を介して、ダイクロイックミラー５０に入射される。ダイクロイックミラー５０は、短波長（６５０ｎｍ）の光ビームのみを反射し、長波長（７８０ｎｍ）の光ビームを透過させる。
【００４０】
したがって、複合光源１０より出射した光ビーム（短波長（６５０ｎｍ）と長波長（７８０ｎｍ）の光ビーム）は、ダイクロイックミラー５０により短波長（６５０ｎｍ）の光ビームと長波長（７８０ｎｍ）の光ビームに分離され、ポリゴンミラー１６の回転駆動により短波長（６５０ｎｍ）の光ビームは被露光体３０の露光面における主走査方向に照射される。
【００４１】
また、長波長（７８０ｎｍ）の光ビームは、ポリゴンミラー１６の回転に伴い、波長補正レンズ４２により屈折率を補正された後、ミラー２６を介して被露光体３２の露光面における主走査方向に照射される。
【００４２】
本発明の第３実施形態によれば、ダイクロイックミラー５０により波長の異なる光ビームを分離するようにしたので、バンドパスフィルタを使用せずに済み、第２実施形態に示す構成よりさらに、装置の構成を簡略化することができる。
【００４３】
次に、本発明の第４実施形態に係る光走査装置の構成を図４に示す。第４実施形態に係る光走査装置が第３実施形態に係る光走査装置と構成上、異なるのは、図３において、ダイクロイックミラー５０の代わりにハーフミラー１８を用い、波長の異なる光ビームの分離は、光波長感度の異なる被露光体６０、６２を用いることにより行うようにした点であり、他の構成は同一であるので、重複する説明は省略する。
【００４４】
被露光体６０は、短波長（６５０ｎｍ）の光ビームに感度を有し、長波長（７８０ｎｍ）の光ビームには感度を有しない光学特性を有しており、また被露光体６２は、長波長（７８０ｎｍ）の光ビームに感度を有し、短波長（６５０ｎｍ）の光ビームには感度を有しない光学特性を有している。
【００４５】
上記構成において、複合光源１０より出射した光ビームは、コリメータレンズ１２により平行光にされ、この平行光となった光ビームは、シリンダレンズ１４により絞り込まれ、ポリゴンミラー１６の反射面上に集光される。
ポリゴンミラー１６により反射された光ビームは、Ｆθレンズ４０を介して、ハーフミラー１８に入射される。
【００４６】
ハーフミラー１８に入射された光ビームは二分され、二分された一方の光ビームは、直接、被露光体６０の被露光面に照射され、ポリゴンミラー１６の回転に伴い、被露光体６０の被露光面上で主走査方向に走査される。ここで、被露光体６０は、短波長（６５０ｎｍ）の光ビームに感度を有し、長波長（７８０ｎｍ）の光ビームには感度を有しない光学特性を有しているため、短波長（６５０ｎｍ）の光ビームが荷っている画像情報が被露光体６０に書き込まれる。
【００４７】
また、ハーフミラー１８により二分された他方の光ビームは、ポリゴンミラー１６の回転に伴い、波長補正レンズ４２により屈折率を補正された後、ミラー２６を介して被露光体６２の露光面における主走査方向に照射される。ここで、被露光体６２は、長波長（７８０ｎｍ）の光ビームに感度を有し、短波長（６５０ｎｍ）の光ビームには感度を有しない光学特性を有しているため、長波長（７８０ｎｍ）の光ビームが荷っている画像情報が被露光体６０に書き込まれる。
【００４８】
このようにして光波長感度の異なる被露光体を使用することにより波長の異なる光ビームを分離して各光ビームを対応する被露光体に照射することができる。
以上に説明したように、本発明の第４実施形態に係る光走査装置によれば、第３実施形態に係る光走査装置と同様に、複合光源１０から出射された波長の異なる光ビームを波長毎に分離するために使用するバンドパスフィルタを省略することができ、装置構成を簡略化することができる。
【００４９】
【発明の効果】
以上に説明したように、本発明に係る光走査装置によれば、波長の異なる複数の光ビームを出射する複合光源を光源とし、該光源から出射された各光ビームを対応する被露光体の主走査方向に走査する光走査装置における光学系を波長の異なる光ビームで共用化するようにしたので、光走査装置の構成を簡略化することができ、安価な光走査装置を実現することができる。
【図面の簡単な説明】
【図１】本発明の第１実施形態に係る光走査装置の構成を示す図。
【図２】本発明の第２実施形態に係る光走査装置の構成を示す図。
【図３】本発明の第３実施形態に係る光走査装置の構成を示す図。
【図４】本発明の第４実施形態に係る光走査装置の構成を示す図。
【符号の説明】
１０…複合光源、１２…コリメータレンズ、１４…シリンダレンズ、１６…ポリゴンミラー、１８…ハーフミラー、２０…第１のＦθレンズ、２２…第１のバンドパスフィルタ、２４…第２のＦθレンズ、２６…ミラー、２８…第２のバンドパスフィルタ、３０、３２、６０、６２…被露光体、４０…Ｆθレンズ、４２…波長補正レンズ、５０…ダイクロイックミラー
【図１】
2004212569.tif 000003
【図２】
2004212569.tif 000004
【図３】
2004212569.tif 000005
【図４】
2004212569.tif 000006